(57)【要約】      （修正有）【課題】精白室に搗精網を出し入れする際に、抵抗装置を簡単に邪魔にならない位置にすることができる様にするとともに、精白室と抵抗装置との芯ずれが起きない様にする。【解決手段】精白室内に着脱自在に挿着される搗精網１３と、該搗精網１３を固定している口金１４と、該精白室の白米排出口に対向する抵抗装置２０と、該白米排出口から排出される白米の流れを規制する出口受３４と、を備えた一回通し式精米機において、前記抵抗装置は、固定板２２に固定され、前記固定板２２は、その上部側がスプリングヒンジ２４を介して前記白米排出口の上部側の取付板に連結され、その下部側は、押しボタン２６により前記白米排出口の下部側に固定され、前記口金１４は、前記固定板２２により固定される。【選択図】図３
2009213957.tif 000002
【特許請求の範囲】
【請求項１】
精白室内に着脱自在に挿着される搗精網と、該搗精網を固定している口金と、該精白室の白米排出口に対向する抵抗装置と、該白米排出口から排出される白米の流れを規制する出口受と、を備えた一回通し式精米機において、
前記抵抗装置は、固定板に固定され、
前記固定板は、その上部側がヒンジ部材を介して前記白米排出口の上部側に連結され、その下部側は、ワンタッチ係脱手段により前記白米排出口の下部側に固定され、
前記口金は、前記固定板により固定されることを特徴とする一回通し式精米機。
【請求項２】
前記ヒンジ部材は、前記抵抗装置を跳ね上げるスプリングヒンジであることを特徴とする請求項１記載の一回通し式精米機。
【請求項３】
前記出口受は、前記固定板、又は、前記白米排出口に固定されていることを特徴とする請求項１記載の一回通し式精米機。
【請求項４】
前記ワンタッチ係脱手段は、フックの係止を解除する押しボタンであることを特徴とする請求項１記載の一回通し式精米機。
【請求項５】
前記押しボタンは、前記固定板の下部側に左右一対設けられていることを特徴とする請求項１記載の一回通し式精米機。
【請求項６】
前記固定板は、門型に形成されていることを特徴とする請求項１記載の一回通し式精米機。
【発明の詳細な説明】
【技術分野】
【０００１】
この発明は、玄米の精白等に用いられる一回通し式精米機に関するものである。
【背景技術】
【０００２】
一回通し式精米機には、精白室の白米排出口に対向して抵抗装置が設けられている。この抵抗装置は、白米排出口の穀粒の排出圧力を調整するものであり、きわめて重要な装置である。
【０００３】
前記精白室内には、糠を除去するための搗精網が設けられているが、精米中に糠が発生すると、その一部が付着し固ってしまう。そうすると、除糠効果が低下するとともに、衛生的にも好ましくない。
【０００４】
又、前記白米排出口の抵抗装置周辺は、熱を持った白糠が接触し、固着し易い。特に、外気温の低い冬季などには抵抗装置部分から白米排出口、出口受（シュート）の周辺には、結露現象が発生し、糠固着が激しくなる。そのため、抵抗装置の抵抗板の作動不良が発生し、むら搗きになったり、運転不良になったりする。
【０００５】
上記事情により、前記精米機は、抵抗装置を外し定期的に搗精網や精白室内を清掃しなければならない。
そこで、この抵抗装置は、着脱し易い様に、複数のボルトにより精米機本体に固定されている(例えば、特許文献１、参照)。
【０００６】
【特許文献１】実開昭５６−１７２３３４号公報
【発明の開示】
【発明が解決しようとする課題】
【０００７】
従来例には、次の様な問題がある。
（１）前記抵抗装置は、ボルトで固定されているので、スパナなどの工具を用いて取り外さなければならない。ところが、厨房などの狭いスペースに置かれている精米機では、前記工具を操作するためのスペースを十分確保できないので、前記抵抗装置の取り外が困難となり、時間がかかる。
（２）取り外した抵抗装置を床面上に置いて保管することがあるので、衛生上好ましくない。
（３）清掃終了後、複数のボルトを締めて抵抗装置を元の状態に戻そうとした場合、該抵抗装置の中心軸と精白室の中心軸がずれてしまう(芯ずれ)ことがある。
（４）精米機の構造が、分解しなければ搗精網を取り出せない構造であったり、又は、該搗精網を固定する口金がボルにより精米機に固定されている。そのため、前記搗精網の着脱が困難であると共に、その作業時間も長くなってしまう。
【０００８】
この発明は、上記事情に鑑み、搗精網を簡単に着脱できる様にすることを目的とする。他の目的は、精白室と抵抗装置との芯ずれが起きない様にすることである。
【課題を解決するための手段】
【０００９】
この発明は、精白室内に着脱自在に挿着される搗精網と、該搗精網を固定している口金と、該精白室の白米排出口に対向する抵抗装置と、該白米排出口から排出される白米の流れを規制する出口受と、を備えた一回通し式精米機において、
前記抵抗装置は、固定板に固定され、前記固定板は、その上部側がヒンジ部材を介して前記白米排出口の上部側に連結され、その下部側は、ワンタッチ係脱手段により前記白米排出口の下部側に固定され、前記口金は、前記固定板により固定されることを特徴とする。
【００１０】
この発明の前記ヒンジ部材は、前記抵抗装置を跳ね上げるスプリングヒンジであることを特徴とする。この発明の前記出口受は、前記固定板、又は、前記白米排出口に固定されていることを特徴とする。この発明の前記ワンタッチ係脱手段は、フックの係止を解除する押しボタンであることを特徴とする。この発明の前記押しボタンは、前記固定板の下部側に左右一対設けられていることを特徴とする。この発明の前記固定板は、門型に形成されていることを特徴とする。
【発明の効果】
【００１１】
この発明は、以上の様に構成したので、搗精網等を清掃する際には、前記ワンタッチ係脱手段により白米排出口の下部側と前記固定板の下部側の係合を解除し、該固定板を上方に回動させると、前記白米排出口は開放されるとともに、前記口金の固定も解除される。そのため、該口金を手で掴んで手前側に引っ張ると、前記搗精網を精白室から簡単に取り出すことができる。
この時、抵抗装置は、ヒンジ部材を介して精米機に吊り下がっているので、床等に置いて保管する場合に比べ、衛生的である。
【００１２】
又、清掃が完了した後、前記搗精網を精白室に挿着し、前記抵抗装置を前記と逆回転させて元の位置に戻し、ワンタッチ係脱手段により固定する。この時、抵抗装置は、ヒンジ部材に規制されながら回転するため、確実に、元の位置にもどるので、白米排出口と抵抗装置の芯ずれが発生しない。
【発明を実施するための最良の形態】
【００１３】
この発明の第１実施の形態を図１〜図３により説明する。
一回通し式精米機１の筐体３には、玄米タンク５が設けられ、該玄米タンク５の下端部は、精白室７に連通している。前記精白室７には、ロール転子９が内蔵されており、該ロール転子９の基端はモータ１１に連結されている。精白室７内には、白米と糠とを分離する搗精網１３が設けられ、該搗精網米１３の網目を通り抜けた糠は、糠箱１５内に落下する。
前記搗精網１３の先端部には、口金１４が設けられているが、この口金１４は、該搗精網機１３を固定する門型の部材で、天井壁と一対の脚壁とを備えている。
【００１４】
精白室７の白米排出口７ａは、抵抗装置２０の抵抗板３８により閉鎖されている。この抵抗装置２０は、固定板２２に固定されているが、この固定板２２は、門型に形成された板体であり、天井部と一対の脚部とを備えている。前記両脚部の間は、方形状の空間部２０ａとなっている。前記固定板２２の上端部は、スプリングヒンジ２４に連結されている。このスプリングヒンジ２４は、ヒンジ部材の一例であり、精白室７の白米排出口７ａの上部側の取付板に固定され、前記固定板２２を跳ね上げる方向に付勢する。
【００１５】
前記固定板２２の両脚部の下部側には、空間部２２ａを挟む様にして押しボタン２６が左右一対設けられている。このボタン２６は、ワンタッチ係脱手段の一例であり、このボタン２６を押すことによりフック２８が引っ込み、前部取付板に設けた係止部３０との係合が解除される。この係止部３０は、前記白米排出口７ａの下部側に、前記フック２８に対応する位置に、左右一対設けられている
【００１６】
前記固定板２２には、抵抗装置２０と出口受３４が固定されている。前記抵抗装置２０は、抵抗力（精白力）を調整する抵抗ハンドル３６と、該抵抗ハンドル３６の回転及び抵抗ばね３７のばね力により摺動する抵抗板３８と、を備えている。前記抵抗板３８は、前記貫通穴２０ａ及び白米排出口７ａと対向している。
【００１７】
次に、本実施の形態の作動について説明する。
搗精網１３の取り出し（清掃時)：
精米機は、図２に示す状態（白米排出口の閉鎖状態）になっている。この精米機のボタン２６を押して、フック２８を引っ込ませ、取付板の係止部３０との係合を解除させる。
そうすると、スプリングヒンジ２４は、固定板２２を矢印Ａ方向に跳ね上げるので、抵抗装置２０は、図１、図２に示す状態（白米排出口の閉鎖状態）から図３に示す状態（白米排出口の開放状態）に変位する。
この時、抵抗装置２０は、白米排出口７ａの延長線上から上方の位置で、精米機１に吊るされた状態で支持されている。
【００１８】
前記固定板２２の回転に伴い、該固定板２２は口金１４から離れるため、口金１４は、前記固定板２２の規制から開放されるので、前記口金１４に手を掛けて手前側に引っ張ると、搗精網１３は摺動し、簡単に精白室７から外れる。
前記搗精網１３を水洗いした後乾燥させるとともに、精白室７内も清掃する。
なお、抵抗装置２０は、錆対策の施されていない場合には、水洗いすると錆が発生する恐れがあるので、布や圧縮空気を用いて掃除をする。
又、抵抗装置２０は、精米機１に吊るされた状態となっているので、従来と異なり、床において保管する必要もないため、衛生的に作業をすることができる。
【００１９】
搗精網の挿着(清掃完了後)：
前記搗精網１３の清掃作業終了後、該搗精網１３を精白室７内に挿着する。その後、前記固定板２２を前記スプリングヒンジ２４のばね力に抗して前記と逆方向に回動させ、前記固定板２２を前記口金１４に強く押し付ける様にすると、フック２８が引っ込みながら進行して取付板の係止部３０に係合し、口金１４を挟持固定する（図２参照）。
【００２０】
この時、前記固定板２２は、スプリングヒンジ２４に規制されながら回転するので、前記抵抗装置２０は、確実に元の位置に戻される。そのため、芯ずれが発生することが無い。
【００２１】
この発明の第２実施の形態を図４、図５により説明するが、図１〜図３と同一図面符号は、その名称も機能も同一である。
この実施の形態と前記第１実施の形態との相違点は、出口受３４が、抵抗装置２０と一体となっている代わりに、搗精網１３と一体となっていることである。この実施の形態では、口金１４を掴んで手前側に引くと、搗精網１３が引き出されるとともに、出口受３４も同時に引き出される。
【００２２】
この発明の実施の形態は、上記に限定されるものではなく、例えば、次のようにしても良い。
（１）ワンタッチ係脱手段として、押しボタンの代わりに、スライド式、摘み回転式ボタンなどを用いることができるが、この手段は、工具等を使用しなくても簡単に操作できるものであれば、上記に限定されるものではない。
【００２３】
（２）ヒンジ部材として、スプリングヒンジの代わりに、一般のヒンジを用いてもよい。但し、一般のヒンジを用いる場合には、白米排出口の開放状態時には、該抵抗装置を人手、又は、ステー等などにより所定位置に維持する必要がある。
【図面の簡単な説明】
【００２４】
【図１】本発明の第１実施の形態を示す縦断面図である。
【図２】図１の要部拡大断面図（白米排出口の閉鎖状態）である。
【図３】図２と異なる状態（白米排出口の開放状態）を示す要部拡大断面図である。
【図４】本発明の第２実施の形態を示す側面図である。
【図５】白米排出口の開放状態を示す要部拡大断面図で、図３に相当する図である。
【符号の説明】
【００２５】
１    一回通し式精米機
７    精白室
１３  搗精網米
１４  口金
２０  抵抗装置
２２  固定板
２４  スプリングヒンジ
２６  押しボタン
３４  出口受
【図１】
2009213957.tif 000003
【図２】
2009213957.tif 000004
【図３】
2009213957.tif 000005
【図４】
2009213957.tif 000006
【図５】
2009213957.tif 000007